(57)【特許請求の範囲】
【請求項１】
基部（１１）から先端部（１４）に至るまでの縁辺（１２）が平面図で見て概略Ｕ字状に滑らかに湾曲した形状を備えた付け爪であって、前記縁辺（１２）は、付け爪の表面を上に向けて平坦な面に載置した時に、基部（１１）側の両側の２点（１３ａ、１３ｂ）と先端部（１４）の合計３点で該平坦な面に接触するとともに、該基部（１１）側の２点（１３ａ、１３ｂ）のそれぞれと該先端部（１４）との間において、側面図で見て該平坦な面から最大高さ（Ｈ）０．３ｍｍ以上の隙間が形成されているように上方に湾曲しており、前記隙間の最大高さ（Ｈ）は、付け爪の先端部（１４）から付け爪の長さ（Ｌ）の半分の距離（Ｌ´）だけ基部（１１）側に至る領域内に位置することを特徴とする付け爪。
【請求項２】
幅（Ｗｐ）が６ｍｍ乃至１５ｍｍの範囲内にあり、長さ（Ｌ）が１５ｍｍ乃至２６ｍｍの範囲内にあり、かつ、１．５≦Ｌ／Ｗｐ≦３．０を満たす、互いにサイズの異なる１０種類の付け爪のセットからなる請求項１に記載の付け爪。
【請求項３】
長さ（Ｌ）が１８ｍｍ乃至２５ｍｍの範囲内にある請求項２に記載の付け爪。
【請求項４】
表面に装飾が施されている請求項１乃至３の何れか１項に記載の付け爪。
【請求項５】
基部（１１）の裏面に接着剤が塗布されている請求項１乃至４の何れか１項に記載の付け爪。
【請求項６】
プラスチック材料を成形することによって製造されている請求項１乃至５の何れか１項に記載の付け爪。
【発明の詳細な説明】
【技術分野】
【０００１】
本発明は、基部から先端部に至るまでの縁辺が平面図で見て概略Ｕ字状に滑らかに湾曲した形状、特に、ティアドロップ（teardrop）型と呼ばれる高級感のある形状を備え、さらに、装着性及び取扱性に優れた付け爪に関する。
【背景技術】
【０００２】
近年のネイルアートの流行に伴い、ネイルサロンでオーダーメイドせずに、自分で爪に装着して簡単にネイルアートを楽しめるように、各種デザインの付け爪が販売されるようになった。
【０００３】
この種の付け爪は、一般に、サイズが互いに異なる１０種類の付け爪を同梱したセットとして販売されている。爪のサイズは人により様々であるが、上記セットは、上記１０種類のサイズを用意しているので、その中から自分の５本の指の爪に適合するサイズの付け爪を選択して使用できるように構成されている（特許文献１参照）。
【０００４】
このような従来の付け爪は、幅に対して長さが最大で２倍程度の寸法であったが、消費者の高級品志向や商品のプレミアム化に伴い、従来品と形状が異なり、かつ高級感のある輪郭を備えた付け爪が求められるようになっている（特許文献２及び３参照）。
【０００５】
しかし、単に付け爪の長さを長くしたり、幅に対する長さの比率を変更しただけでは、形状の高級感は必ずしも高まらない。また、従来の付け爪は、その表面を上に向けて平坦な面に置いたときに、付け爪の縁辺のほぼ全体がこの平坦な面に接触するため、縁辺を指やピンセットで掴む際に困難を伴い、取扱性に劣っていた。この取扱性の問題を解決するために、縁辺を凸状に湾曲させることが提案されているが（特許文献３参照）、そこに開示される湾曲形状は比較的長さの長い付け爪を対象とするものであり、ティアドロップ型の形状を備えた付け爪に対してそのまま応用しても必ずしも高級感をもたらすことはできなかった。
【先行技術文献】
【特許文献】
【０００６】
【特許文献１】特開２００５−３４９１８３号公報
【特許文献２】特開２００５−８１１１８号公報
【特許文献３】特開２００８−２５３５５０号公報
【発明の概要】
【発明が解決しようとする課題】
【０００７】
本発明は、上述した要求及び課題に鑑み、ティアドロップ型の形状を備えた付け爪であって、従来にない高級感のある形状を備えるとともに、装着性及び取扱性に優れた付け爪を提供することを目的とする。
【課題を解決するための手段】
【０００８】
本発明者等は、上記目的を達成すべく付け爪の新規な形状について鋭意研究を重ねた結果、ティアドロップ型の形状を備えた付け爪の先端部付近の縁辺の形状を従来にない湾曲形状とすることにより、本発明の目的を達成できることを見出し、本発明を完成するに至った。
【０００９】
かくして、本発明によれば、下記（１）〜（６）の発明が提供される。
（１）基部（１１）から先端部（１４）に至るまでの縁辺（１２）が平面図で見て概略Ｕ字状に滑らかに湾曲した形状を備えた付け爪であって、前記縁辺（１２）は、付け爪の表面を上に向けて平坦な面に載置した時に、基部（１１）側の両側の２点（１３ａ、１３ｂ）と先端部（１４）の合計３点で該平坦な面に接触するとともに、該基部（１１）側の２点（１３ａ、１３ｂ）のそれぞれと該先端部（１４）との間において、側面図で見て該平坦な面から最大高さ（Ｈ）０．３ｍｍ以上の隙間が形成されているように上方に湾曲していることを特徴とする付け爪
（２）前記隙間の最大高さ（Ｈ）は、付け爪の先端部（１４）から付け爪の長さ（Ｌ）の半分の距離だけ基部（１１）側に至る領域内に位置する上記（１）項に記載の付け爪。
（３）幅（Ｗｐ）が６ｍｍ乃至１５ｍｍの範囲内にあり、長さ（Ｌ）が１５ｍｍ乃至２６ｍｍの範囲内にあり、かつ、１．５≦Ｌ／Ｗｐ≦３．０を満たす、互いにサイズの異なる１０種類の付け爪のセットからなる上記（１）または（２）項に記載の付け爪。
（４）長さ（Ｌ）が１８ｍｍ乃至２５ｍｍの範囲内にある上記（３）項に記載の付け爪。
（５）表面に装飾が施されている上記（１）乃至（４）項の何れか１項に記載の付け爪。
（６）基部（１１）の裏面に接着剤が塗布されている上記（１）乃至（５）項の何れか１項に記載の付け爪。
【発明の効果】
【００１０】
本発明によれば、基部（１１）から先端部（１４）に至るまでの縁辺（１２）が平面図で見て概略Ｕ字状の滑らかに湾曲した形状、特に、ティアドロップ型と呼ばれる形状を備えた付け爪において、前記縁辺（１２）の形状を、付け爪表面を上に向けて平坦な面に載置した時に、側面図で見て、先端部（１４）付近の領域で上方に向かって湾曲し、最大高さ（Ｈ）０．３ｍｍ以上の隙間が形成されるようにすることによって、基部（１１）側の両側の２点（１３ａ、１３ｂ）と先端部（１４）の合計３点で該平坦な面に接触するようにしたので、高級感があり、装着性や、装着時の取扱性にも優れた付け爪が得られる。
【図面の簡単な説明】
【００１１】
【図１】（ａ）は本発明の付け爪を示す平面図、（ｂ）は（ａ）に示される付け爪を、その表面を上に向けて平坦な面に載置した状態で示す側面図、（ｃ）は従来の付け爪を示す、（ｂ）と同様の側面図である。
【発明を実施するための最良の形態】
【００１２】
図１（ａ）及び（ｂ）は、本発明の付け爪の具体例を示す概略図であり、数字１０は付け爪全体を示し、プラスチックを成形して得られた薄板からなる。図１（ａ）の平面図に示されるように、本発明の付け爪１０は、天然の爪に重ねて接着できるようにされた基部１１と、該基部１１から先端部１４に至るまでの縁辺１２で画定された形状を備える。縁辺１２は、図１（ａ）の平面図に示されるように、概略Ｕ字状の滑らかに湾曲した先細り形状を備えている。また、本発明の付け爪１０は、公知の付け爪と同様に、縁辺１２の周囲から中央部に向けて凸状すなわち弓形に滑らかに隆起した湾曲形状を備える。同様に、また、本発明の付け爪１０は、公知の付け爪と同様に、図１（ｂ）の側面図に示されるように、長手方向には基部１１及び先端部１４のそれぞれから中央部に向けて凸状すなわち弓形に滑らかに隆起した湾曲形状を備える。
【００１３】
本発明の付け爪１０は、図１（ｂ）に示されるように、その表面を上に向けて平坦な面に載置した時に、基部１１側の２点１３ａ及び１３ｂのそれぞれと先端部１４との間の領域において、縁辺１２と該平坦な面との間に隙間が形成されているように上方に湾曲していることを特徴とする。隙間の最大高さ（Ｈ）は、０．３ｍｍ以上とされ、０．４ｍｍ〜１．２ｍｍとすることが好ましく、０．４ｍｍ〜０．８ｍｍとすることがより好ましい。隙間の最大高さ（Ｈ）は、図１（ｂ）のＬ´で示されるように、付け爪の先端部１４から付け爪の長さ（Ｌ）の半分の距離だけ基部１１側に至る領域内に位置することが好ましい。すなわち、図１（ｂ）において、Ｌ´≦Ｌ／２であることが好ましく、Ｌ´で示される領域内に隙間の最大高さ（Ｈ）が位置することが好ましい。なお、隙間の最大高さ（Ｈ）が本発明の範囲を満たすかどうかは、本発明の付け爪１０を、その表面を上に向けて平坦な面に載置した時に、上記隙間に直径０．３ｍｍ、０．５ｍｍ、０．７ｍｍ、０．９mm等のシャープペンの芯を挿入できるかどうかによって簡単に判定できる。
【００１４】
従来の付け爪２０の場合は、図１（ｃ）に示されるように、その表面を上に向けて平坦な面に載置した時に、縁辺１２は湾曲していないため、縁辺１２のほぼ全体が該平坦な面に接触していた。これに対し、本発明の付け爪１０は、図１（ｂ）に示されるように、その表面を上に向けて平坦な面に載置した時に、基部１１側の２点１３ａ及び１３ｂの２点と先端部１４の合計３点で該平坦な面に接触するような形状を備える。縁辺１２がこのような湾曲形状を備えているため、本発明の付け爪は、自然で高級感のある印象を与え、これによって、近年の消費者の高級品志向に適合した付け爪が提供される。また、本発明の付け爪１０は、平坦な面に載置されていても、両側の縁辺１２を上記隙間の処で指で摘んだり、上記隙間にピンセットなどを挿入することで容易に取り扱うことができるため、装着性や、装着時の取扱性にも優れている。
【００１５】
本発明の付け爪１０の寸法は特に制限されるものではないが、幅（Ｗｐ）は６ｍｍ乃至１５ｍｍの範囲内であることが好ましく、長さ（Ｌ）は１５ｍｍ乃至２６ｍｍの範囲内であることが好ましく、１８ｍｍ乃至２５ｍｍの範囲内であることがより好ましく、比率Ｌ／Ｗｐは１．５≦Ｌ／Ｗｐ≦３．０を満たすことが好ましい。幅（Ｗｐ）及び長さ（Ｌ）は、物差しやノギスなどを用いて測定できる。
【００１６】
本発明の付け爪は、本発明の要件を満たす大小各種のサイズの付け爪をセットしたものであってもよい。例えば、幅Ｗｐが１４〜１３ｍｍ、１３〜１２．２ｍｍ、１２．２〜１１．５ｍｍ、１１．５〜１０．５ｍｍ、１０．５〜９．７ｍｍ、９．７〜８．８ｍｍ、８．８〜８．３ｍｍ、８．３〜８．０ｍｍ、８．０〜７．２ｍｍ、７．２〜６．５ｍｍのようなサイズの異なる１０種類の付け爪をセットとしたものであってもよい。これによって、大概の人の５本の指の爪のサイズに適合する５種類の付け爪を含ませることができる。
【００１７】
本発明の付け爪は、ＡＢＳ樹脂、ポリプロピレン樹脂等のプラスチック材料を射出成形等の成形方法で成形することによって製造することができる。成形体の厚さは、０．３〜１ｍｍ程度とすることが好ましい。
【００１８】
本発明の付け爪は、いわゆるモールドと呼ばれる無色透明の状態で供給してもよく、または、該モールドの表面に装飾を施した状態で供給することもできる。本発明の付け爪の裏面、特に基部の裏面には、ワンタッチで自然爪に装着できるように、予め接着剤や両面テープを塗布または貼付しておいてもよい。接着剤としては、シアノアクリレート系接着剤、酢酸ビニルアクリル酸エステル系接着剤などを使用することができる。また、付け爪と接着剤とを同梱してセットとして供給してもよい。
【実施例】
【００１９】
次に、本発明の具体例について説明するが、本発明は、当該具体例のみに限定されるものではない。
【００２０】
ＡＢＳ樹脂を用いて常法に従って射出成形することにより、表１に示される１０種類の異なる寸法の付け爪（肉厚０．３〜０．７ｍｍ）を作製した。何れも、本発明の寸法比率を満たすものである。
【００２１】
【表１】
0005622401.tif 000002
【００２２】
何れの付け爪も、縁辺１２は図１（ｂ）に示されるように湾曲して隙間を形成しており、平坦な面に置いたときでも、何れの縁辺１２の隙間にも直径０．５ｍｍのシャープペンの芯を容易に通過させることができたが、何れの縁辺１２の隙間にも直径０．９ｍｍのシャープペンの芯は通過させることができなかった。したがって、何れの付け爪においても、最大高さ（Ｈ）は０．５ｍｍ以上０．９ｍｍ未満であることが確かめられた。また、何れの付け爪においても、最大高さ（Ｈ）は、図１（ｂ）でＬ´＝Ｌ／２の領域内に位置していた。また、図１（ｂ）に示す隙間にピンセットを挿入することができ、従来品よりも取り扱いが楽に行え、装着も容易であった。
【産業上の利用可能性】
【００２３】
本発明の付け爪は、個人でネイルアートを楽しむ場合のみならず、ネイルサロンでのメイクアップにも使用することができ、美容、化粧品等の分野において利用できる。
【符号の説明】
【００２４】
１０…本発明の付け爪、１１…基部、１２…縁辺、１３ａ，１３ｂ…縁辺の接触点、１４…先端部、２０…従来の付け爪。
【図１】
0005622401.tif 000003